(57)【特許請求の範囲】
【請求項１】
水と電気またはガスと電気を消費する少なくとも１つ以上のランドリー機器と接続可能な災害対応精算機であって、
前記精算機の動作を常態モードまたは非常態モードに切り替えるモード切替部と、
前記常態モードにおいて、前記ランドリー機器の利用料金の精算に応じて該ランドリー機器を動作させる常態モード処理部と、
前記非常態モードにおいて、前記ランドリー機器の利用料金の精算を行わずに該ランドリー機器を動作させるか、または前記常態モードにおける利用料金よりも低い利用料金の精算に応じて前記ランドリー機器を動作させる非常態モード処理部とを備え、
前記非常態モード処理部は、前記非常態モードにおいて、前記常態モードと比較して、水と電気またはガスと電気の消費量がより少なくなるように前記ランドリー機器を動作させることを特徴とする災害対応精算機。
【請求項２】
前記非常態モード処理部は、前記ランドリー機器の利用料金の精算を行わずに前記ランドリー機器を動作させることを特徴とする請求項１に記載の災害対応精算機。
【請求項３】
前記非常態モード処理部は、前記常態モードにおける利用料金よりも低い利用料金の精算に応じて前記ランドリー機器を動作させることを特徴とする請求項１に記載の災害対応精算機。
【請求項４】
前記モード切替部は、前記少なくとも１つ以上のランドリー機器が設置された地域が非常態にあることを示す非常態情報が取得された場合に前記非常態モードに切り替えることを特徴とする請求項１〜請求項３のいずれか一項に記載の災害対応精算機。
【請求項５】
水と電気またはガスと電気を消費する少なくとも１つ以上のランドリー機器と接続可能な精算機による災害対応精算方法であって、
前記精算機が、
前記精算機の動作を常態モードまたは非常態モードに切り替え、
前記常態モードにおいて、前記ランドリー機器の利用料金の精算に応じて該ランドリー機器を動作させ、
前記非常態モードにおいて、前記ランドリー機器の利用料金の精算を行わずに該ランドリー機器を動作させるか、または前記常態モードにおける利用料金よりも低い利用料金の精算に応じて前記ランドリー機器を動作させ、
前記非常態モードにおいて、前記常態モードと比較して、水と電気またはガスと電気の消費量がより少なくなるように前記ランドリー機器を動作させることを特徴とする災害対応精算方法。
【請求項６】
前記精算機は、前記非常態モードにおいて、前記ランドリー機器の利用料金の精算を行わずに前記ランドリー機器を動作させることを特徴とする請求項５に記載の災害対応精算方法。
【請求項７】
前記精算機は、前記非常態モードにおいて、前記常態モードにおける利用料金よりも低い利用料金の精算に応じて前記ランドリー機器を動作させることを特徴とする請求項５に記載の災害対応精算方法。
【請求項８】
前記精算機は、前記少なくとも１つ以上のランドリー機器が設置された地域が非常態にあることを示す非常態情報が取得された場合に前記非常態モードに切り替えることを特徴とする請求項５〜請求項７のいずれか一項に記載の災害対応精算方法。
【請求項９】
水と電気またはガスと電気を消費する少なくとも１つ以上のランドリー機器と精算機とを備える災害対策ランドリーシステムであって、
前記精算機は、
前記精算機の動作を常態モードまたは非常態モードに切り替えるモード切替部と、
前記常態モードにおいて、前記ランドリー機器の利用料金の精算に応じて該ランドリー機器を動作させる常態モード処理部と、
前記非常態モードにおいて、前記ランドリー機器の利用料金の精算を行わずに該ランドリー機器を動作させるか、または前記常態モードにおける利用料金よりも低い利用料金の精算に応じて前記ランドリー機器を動作させる非常態モード処理部とを備え、
前記ランドリー機器は、前記非常態モードにおいて、前記常態モードと比較して、水と電気またはガスと電気の消費量がより少なくなるように動作することを特徴とする災害対応ランドリーシステム。
【発明の詳細な説明】
【技術分野】
【０００１】
本発明の実施形態は、災害に対応するコインランドリーの精算機に関する。
【背景技術】
【０００２】
コインランドリーは、店舗内に設置した洗濯乾燥機などのランドリー機器を利用者に提供する。利用者は、衣類や布団などの洗濯物を持参し、利用料金を支払って洗濯を行う。コインランドリーは、一般的に無人営業であるため、精算を自動化する精算システムが導入されている。利用者は、各ランドリー機器ごとに設けられている精算機に現金を投入して、セルフ方式でランドリー機器を利用する。精算機は、現金の他に、ＩＣカードなどの電子マネーによる精算も可能になっている。
【先行技術文献】
【特許文献】
【０００３】
【特許文献１】特開２０１９−８７２１６号公報
【発明の概要】
【発明が解決しようとする課題】
【０００４】
発明が解決しようとする課題は、被災者がランドリー機器を利用することをより容易にする精算機、ランドリーシステムを提供することにある。
【課題を解決するための手段】
【０００５】
実施形態の精算機は、少なくとも１つ以上のランドリー機器と通信可能な精算機であって、前記精算機の動作を常態モードまたは非常態モードに切り替えるモード切替部と、前記常態モードにおいて、前記ランドリー機器の利用料金の精算に応じて該ランドリー機器を動作させる常態モード処理部と、前記非常態モードにおいて、前記ランドリー機器の利用料金の精算を行わずに該ランドリー機器を動作させるか、または前記常態モードにおける利用料金よりも低い利用料金の精算に応じて前記ランドリー機器を動作させる非常態モード処理部とを備える。
【０００６】
実施形態のランドリーシステムは、電力インフラが機能を停止した場合であっても稼働可能なランドリーシステムであって、ガス貯蔵部に貯蔵されたガスを燃焼させることにより衣類を乾燥させる機能を有する少なくとも１つ以上のランドリー機器と、前記ガス貯蔵部に貯蔵されたガスを燃料として電力を出力する発電機と、前記ランドリーシステムの電力源を、前記電力インフラ、または前記発電機のいずれかに切り替える電源切替部と、動作モードを常態モードまたは非常態モードに切り替え、前記常態モードにおいて、前記ランドリー機器の利用料金の精算に応じて該ランドリー機器を動作させ、前記非常態モードにおいて、前記ランドリー機器の利用料金の精算を行わずに該ランドリー機器を動作させるか、または前記常態モードにおける利用料金よりも低い利用料金の精算に応じて前記ランドリー機器を動作させる精算機とを備える。
【図面の簡単な説明】
【０００７】
【図１】第１の実施形態に係るランドリーシステムを導入したランドリー施設の概略平面図である。
【図２】第１の実施形態に係るランドリーシステムの全体構成を示す概略図である。
【図３】第１の実施形態に係る精算システムのハードウェア構成を示す概略図である。
【図４】第１の実施形態に係る精算機のハードウェア構成を示す正面図である。
【図５】第１の実施形態に係る精算機の機能構成を示すブロック図である。
【図６】第１の実施形態に係るモード切替処理の動作を示すフローチャートである。
【図７】第１の実施形態に係る有料モード処理の動作を示すフローチャートである。
【図８】第１の実施形態に係る無料モード処理の動作を示すフローチャートである。
【図９】第２の実施形態に係る精算機の機能構成を示すブロック図である。
【図１０】第２の実施形態に係るモード切替処理の動作を示すフローチャートである。
【図１１】第３の実施形態に係る精算機の機能構成を示すブロック図である。
【図１２】第３の実施形態に係るモード切替処理の動作を示すフローチャートである。
【発明を実施するための形態】
【０００８】
以下、図面を参照して本発明の実施形態の詳細について説明する。
【０００９】
＜第１の実施形態＞
（ランドリーシステム）
まず、本実施形態に係るランドリーシステムを導入したランドリー施設の概要及びランドリーシステムの全体構成について説明する。図１は、ランドリーシステムを導入したランドリー施設の概略平面図である。図２は、ランドリーシステムの全体構成を示す概略図である。
【００１０】
図１に示すランドリー施設Ｆは、図２に示すようなランドリーシステム１が導入される。ランドリーシステム１は、複数のランドリー機器１０、精算機１１、制御装置１２、発電機１３、電源切替部１４、電力供給部１５、給湯器１６、シャワー設備１７、ガス供給部１８を備える。
【００１１】
ランドリー機器１０は、例えば、洗濯機、乾燥機、洗濯乾燥機、靴洗浄機、圧縮パック機等である。本実施形態においては、ランドリー機器１０は、衣類を洗濯し乾燥させる洗濯乾燥機とし、衣類を洗浄及び乾燥させるための内部空間が区画され、この内部空間を閉鎖するとともに衣類を投入または衣類を取り出し可能に内部空間を開放する扉部１０ａを備えるものとする。
【００１２】
ランドリー施設Ｆは、その内部が店舗区画ＤとバックヤードＢとに区分されており、複数のランドリー機器１０は、店舗区画Ｄから利用可能且つバックヤードＢから電力、水、ガスを供給可能に設置される。ランドリー施設Ｆの利用者は、外部と店舗区画Ｄとを行き来可能に形成された出入口Ｄ１を介して店舗区画Ｄへ入り、ランドリー機器１０のうち空いているものを選択し、持参した衣類等の洗濯物を投入して洗濯及び乾燥を行う。また、ランドリー施設Ｆにおいては、精算機１１、電力供給部１５、シャワー設備１７、ガス供給部１８が、店舗区画Ｄから利用者により利用可能に設置される。
【００１３】
ランドリー機器１０は、電力会社により電力インフラＥを介して供給される電力により動作し、水道局により水道インフラＷを介して供給される水と、バックヤードＢにおいて供給される洗剤とによって衣類を洗浄し、ランドリー施設Ｆ近傍に設置されるＬＰ（Ｌｉｑｕｅｆｉｅｄ  Ｐｅｔｒｏｌｅｕｍ）ガスタンクＧにより供給されるガスによって衣類を乾燥させる。水道インフラＷによって供給される水は、ランドリー施設Ｆ近傍に設置される貯水タンクＴを介してランドリー機器１０に供給され、貯水タンクＴには一定量以上の水が常時貯水されるものとし、水道インフラＷが停止する非常時には、貯水タンクＴに貯水された水が供給される。
【００１４】
精算機１１は、利用者が各ランドリー機器１０の利用料金を精算するための機器であり、利用者は、操作ガイダンスに従って洗濯・乾燥メニューを選択し、集中精算機１１で利用料金を精算することによって、ランドリー機器１０に所望の洗濯・乾燥メニューによる洗濯・乾燥を実行させる。制御装置１２は、例えばケーブルハーネスを通じて精算機１１と通信可能に接続されるとともに、各ランドリー機器１０と有線通信または無線通信可能に接続され、更に、インターネットを介してランドリー施設Ｆ外の装置との通信を行う。
【００１５】
発電機１３は、ＬＰガスタンクＧから供給されるガスを用いた発電を行う。電源切替部１４は、電力インフラＥによる電力供給である通常電源と、発電機１３による電力供給である非常電源とを切り替える。ランドリー機器１０、精算機１１、制御装置１２、電力供給部１５への電力供給は、電源切替部１４を介してなされる。ここで、電力供給部１５は、コンセント、ＵＳＢ（登録商標）給電ポートなどを備える。電力インフラＥが停止する非常時においては、非常電源に切り替えられることで、ランドリー機器１０、精算機１１、制御装置１２が動作し、電力供給部１５による電力利用が可能となる。また、電力供給部１５によれば、災害によって電力インフラＥが停止するような状況においても、スマートフォンなどのバッテリーにより動作する電子機器を利用者が充電することができる。
【００１６】
給湯器１６は、ＬＰガスタンクＧにより供給されるガスを燃焼させることによって貯水タンクＴにより供給される水を熱して、シャワー設備１７に温水を供給する。シャワー設備１７は、利用者が体を洗浄するための設備であり、シャワーと排水溝とが設置される。これら給湯器１６及びシャワー設備１７によれば、災害よって水道インフラＷが停止するような状況においても、利用者が体を洗浄することができる。
【００１７】
ガス供給部１８は、ＬＰガスタンクＧから供給されるガスを、ガスコンロＧＣのようなガス機器により利用可能に供給するための供給口である。ガスコンロＧＣは、通常時においてはバックヤードＢに格納され、非常時においてランドリー施設Ｆの管理者によって、ガス供給部１８と接続され、店舗区画Ｄにおいて利用可能に設置される。なお、ガス供給部１８は、管理者以外の者がガスを利用可能とする操作を行なえないように構成されることが望ましい。このガス供給部１８によれば、災害によってガスインフラが停止した場合であっても、ガスコンロＧＣを接続して炊き出しなどを行うことができる。
【００１８】
店舗区画ＤとバックヤードＢとを仕切る壁部に設けられたドアＤ２は、ランドリ―施設Ｆの管理者が有する鍵によって施錠されており、管理者のみがバックヤードＢに出入りすることができる。各種インフラが停止する非常時において、管理者は、電源切替部１４により非常電源に切り替えるとともに発電機１３を稼働させる。また、水は貯水タンクＴから供給され、ガスは通常時と同様にＬＰガスタンクＧから供給される。これによって、非常時においてもランドリー施設Ｆを稼働させることができる。
【００１９】
（精算システム）
精算システムについて説明する。図３は、精算システムのハードウェア構成を示す概略図である。図４は、精算機のハードウェア構成を示す正面図である。
【００２０】
図２，３に示すように、精算システムＳは、精算機１１と制御装置１２により構成される。図３，４に示すように、精算機１１は、ハードウェアとして、制御部１１０、表示部１１１、スピーカ１１２、紙幣入金部１１３ａ、硬貨入金部１１３ｂ、釣銭出金部１１３ｃ、ＩＣ（Ｉｎｔｅｇｒａｔｅｄ  Ｃｉｒｃｕｉｔ）カードリーダライタ１１４、プリンタ１１５、バーコードリーダ１１６を備える。
【００２１】
制御部１１０は、精算機１１の全体動作を制御するものであり、例えば回路基板上に配置されたＣＰＵ（Ｃｅｎｔｒａｌ  Ｐｒｏｃｅｓｓｉｎｇ  Ｕｎｉｔ）１１０ａ，ＲＯＭ（Ｒｅａｄ  Ｏｎｌｙ  Ｍｅｍｏｒｙ）１１０ｂ，ＲＡＭ（Ｒａｎｄｏｍ  Ａｃｃｅｓｓ  Ｍｅｍｏｒｙ）１１０ｃを備える。ＲＯＭ１１０ｂは、ＣＰＵ１１０ａが実行するプログラム及び各種制御条件などの情報を格納する。ＲＡＭ１１０ｃは、ランドリー機器の稼働状況や使用済プリペイドカードの回収枚数などの情報を一時的に格納する。ＣＰＵ１１０ａは、プログラム及び各種制御条件をＲＯＭ１１０ｂから読み出して、精算機１１の全体動作を制御するともに、後述する各種機能を実行する。
【００２２】
表示部１１１は、利用者と管理者とを含む操作者に対してＧＵＩ（Ｇｒａｐｈｉｃａｌ  Ｕｓｅｒ  Ｉｎｔｅｒｆａｃｅ）を表示するとともに、操作者によるＧＵＩ操作を取得する。表示部１１１は、ディスプレイ１１１ａとタッチパッド１１１ｂとを有するタッチパネルディスプレイであり、精算機１１による処理の選択肢を含む操作メニューを利用者が指でタッチして選択できるようになっている。操作メニューには、洗濯・乾燥等のランドリーメニュー、利用料金を支払う精算メニュー、管理者のみが操作可能な管理メニューなどがある。
【００２３】
スピーカ１１２は、操作者への音声ガイダンスや報知音を発するものであり、スピーカ１１２からは、表示部１１１に表示される操作ガイダンスを読むか又は補助する音声が出力される。なお、表示部１１１に表示される操作ガイダンス及びスピーカ１１２から出力される音声ガイダンスは、表示部１１１としてのタッチパネルディスプレイを通じて、各種言語をも選択できるようになっている。
【００２４】
紙幣入金部１１３ａ、硬貨入金部１１３ｂ、釣銭出金部１１３ｃは、いずれもランドリー機器１０の利用料金に対する現金精算を行うためのものである。利用者は、表示部１１１に表示される利用料金に応じた現金を紙幣入金部１１３ａ、硬貨入金部１１３ｂから投入し、投入された現金に対する釣銭がある場合には釣銭出金部１１３ｃから釣銭が払い出される。
【００２５】
ＩＣカードリーダライタ１１４は、ランドリー機器１０の利用料金に対するＩＣカード精算を行うためのものである。利用者は、ＩＣカード精算に際して、ＩＣカードリーダライタ１１４の読取り面にＩＣカードを接触させる。例えばクレジットカードの場合、ＩＣカードリーダライタ１１４は、ＩＣカードの記憶部（例えばＩＣチップや磁気装置など）から各種情報を読み取り、この各種情報は、図示しない中継装置を介してクレジット信販会社の管理システムに照会される。
【００２６】
プリンタ１１５は、現金やＩＣカード等によって精算した利用料金と利用明細などを記載したレシートを印刷して、レシート取出口１１５ａ（釣銭出金部１１３ｃと兼用）から出力する（図４参照）。プリンタ１１５は、ロール状の感熱記録用紙、用紙に印字等する印刷ヘッド、及び印刷を終えた用紙をロールからカットするカッターなどによって構成される。
【００２７】
制御装置１２は、ケーブルハーネスを通じて精算機１１と通信可能に接続され、各ランドリー機器１０を制御する管理コントローラ１２１と、インターネットを介して外部との通信を行うための通信ポート１２２とを備える。
【００２８】
管理コントローラ１２１は、有線又は無線による通信が可能なように各ランドリー機器１０と接続され、稼働中又は未使用（空き）の情報を各ランドリー機器１０から受信して、ランドリー施設Ｆ内のランドリー機器１０の稼働状態を管理する。また、管理コントローラ１２１は、利用者が選択した選択メニューの情報などを精算機１１から受信し、それを該当するランドリー機器１０に送信する。また、利用者の安全及び盗難防止のため、ランドリー機器１０の扉部１０ａの施錠及び開錠を制御する信号を送信する。
【００２９】
通信ポート１２２には、例えばルータやモデムなどの情報通信機器１２３を通じてインターネット網９０に接続される。そしてインターネット網９０を通じて、他のランドリー施設に設置された精算システムＳ１，Ｓ２などと通信可能に接続される。
【００３０】
（機能構成）
次に、精算機の機能構成及び動作について説明する。図５は、精算機の機能構成を示すブロック図である。
【００３１】
図５に示すように、精算機１１は、制御部１１０により実行される機能として、モード切替部８１、有料モード処理部８２、無料モード処理部８３を備える。モード切替部８１は、後述するモード切替処理により、精算機１１を常態時に対応した動作を行う有料モードまたは非常態時に対応した動作を行う無料モードに切り替える。有料モード処理部８２は、後述する有料モード処理により、精算が完了した場合にランドリー機器１０を動作させる。無料モード処理部８３は、後述する無料モード処理により、精算をすることなくランドリー機器１０を動作させる。
【００３２】
（モード切替処理）
モード切替処理の動作について説明する。図６は、モード切替処理の動作を示すフローチャートである。なお、図６においては、ランドリー施設の管理者が各種操作を行う管理メニューが予め表示されているものとする。
【００３３】
図６に示すように、モード切替部８１は、管理メニューにおいて、精算機１１の操作者が管理者であることを確認するため、管理者を認証する認証情報が正当であるか否かを判定する（Ｓ１０１）。ここで、モード切替部８１は、例えば、予め管理者により設定されたパスワードと、タッチパネルディスプレイである表示部１１１へのタッチ操作により入力されたパスワードとが一致するか否かを判定する。
【００３４】
認証情報が正当である場合（Ｓ１０１，ＹＥＳ）、モード切替部８１は、精算機１１を有料モードにより動作させる有料モードボタンと、精算機１１を無料モードにより動作させる無料モードボタンとを含むモード選択画面を表示し（Ｓ１０２）、無料モードボタンが選択されたか否かを判定する（Ｓ１０３）。
【００３５】
無料モードボタンが選択された場合（Ｓ１０３，ＹＥＳ）、後述する無料モード処理が実行される（Ｓ１０４）。
【００３６】
一方、有料モードボタンが選択された場合（Ｓ１０３，ＮＯ）、後述する有料モード処理が実行される（Ｓ１０５）。
【００３７】
（有料モード処理）
有料モード処理の動作について説明する。図７は、有料モード処理の動作を示すフローチャートである。
【００３８】
図７に示すように、有料モード処理部８２は、複数のランドリー機器１０のうち、稼働中でないランドリー機器１０を選択する画面を表示し、いずれかのランドリー機器１０が選択されたか否かを判定する（Ｓ２０１）。
【００３９】
ランドリー機器１０が選択された場合（Ｓ２０１，ＹＥＳ）、有料モード処理部８２は、ランドリー機器１０の運転態様（コース内容）が異なる複数のコースを含むコース選択画面を表示し（Ｓ２０２）、いずれかのコースが選択された否かを判定する（Ｓ２０３）。
【００４０】
コースが選択された場合（Ｓ２０３，ＹＥＳ）、有料モード処理部８２は、選択されたコースに応じた利用料金を表示し（Ｓ２０４）、表示した利用料金が精算されたか否かを判定する（Ｓ２０５）。
【００４１】
利用料金が精算された場合（Ｓ２０５，ＹＥＳ）、有料モード処理部８２は、選択されたランドリー機器１０に対して選択されたコースに応じた運転動作を開始させる（Ｓ２０６）。
【００４２】
一方、利用料金が精算されない場合（Ｓ２０５，ＮＯ）、有料モード処理部８２は、再度、表示した利用料金が精算されたか否かを判定する（Ｓ２０５）。
【００４３】
また、ステップＳ２０３において、コースが選択されない場合（Ｓ２０３，ＮＯ）、有料モード処理部８２は、再度、コースが選択されたか否かを判定する（Ｓ２０３）。
【００４４】
また、ステップＳ２０１において、ランドリー機器１０が選択されない場合（Ｓ２０１，ＮＯ）、有料モード処理部８２は、再度、ランドリー機器１０が選択されたか否かを判定する（Ｓ２０１）。
【００４５】
（無料モード処理）
無料モード処理の動作について説明する。図８は、無料モード処理の動作を示すフローチャートである。
【００４６】
図８に示すように、無料モード処理部８３は、複数のランドリー機器１０のうち、稼働中でないランドリー機器１０を選択する画面を表示し、いずれかのランドリー機器１０が選択されたか否かを判定する（Ｓ３０１）。
【００４７】
ランドリー機器１０が選択された場合（Ｓ３０１，ＹＥＳ）、無料モード処理部８３は、ランドリー機器１０の運転態様（コース内容）が異なる複数のコースを含むコース選択画面を表示し（Ｓ３０２）、いずれかのコースが選択された否かを判定する（Ｓ３０３）。ここで、無料モード処理部８３は、有料モード処理部８２とは含まれるコースが異なるコース選択画面を表示するようにしても良い。例えば、無料モードにおいては、有料モードと比較して、水、電力、ガスの消費量がより少なくなるようなコースを含むようにしても良い。
【００４８】
コースが選択された場合（Ｓ３０３，ＹＥＳ）、無料モード処理部８３は、選択されたランドリー機器１０に対して選択されたコースに応じた運転動作を開始させる（Ｓ３０４）。
【００４９】
一方、コースが選択されない場合（Ｓ３０３，ＮＯ）、無料モード処理部８３は、再度、コースが選択されたか否かを判定する（Ｓ３０３）。
【００５０】
また、ステップＳ３０１において、ランドリー機器１０が選択されない場合（Ｓ３０１，ＮＯ）、無料モード処理部８３は、再度、ランドリー機器１０が選択されたか否かを判定する（Ｓ３０１）。
【００５１】
このように、精算機１１が精算後にランドリー機器１０を稼働させる有料モードと精算することなくランドリ―機器１０を稼働させる無料モードの２つのモードに切り替え可能とし、各種インフラが停止するような災害時に管理者が精算機１１を無料モードに切り替えることによって、ランドリー施設Ｆを容易に被災者に無償開放することができる。
【００５２】
なお、上述した実施形態においては、ランドリー機器１０と精算機１１とを異なる装置としたが、精算機１１が各ランドリー機器１０に内蔵されるようにしても良い。この場合、ランドリー機器１０に内蔵される精算機１１に関する設定を行うための制御パネルを、管理者が有する鍵を用いてのみアクセス可能にランドリー機器１０に格納し、この制御パネルの操作により有料モードと無料モードのいずれかを選択可能とすることが望ましい。また、このようなランドリー機器１０にタッチパネルが設けられていない場合には、無料モード時においては、コースを選択するためのコース選択ボタンを押下することによってランドリー機器１０に動作運転をさせるようにすると良い。また、運転態様が選択不能であるためコース選択ボタンが設けられないランドリー機器１０については、無料動作ボタンを別途設け、無料モード時においては、無料動作ボタンを押下することによってランドリー機器１０に動作運転させるようにすると良い。
【００５３】
また、無料モード時において、ランドリー施設Ｆ内において、一時的に精算機１１による精算が可能なＩＣカードや磁気カードが配布されるようにしても良い。例えば、このようなカードが格納する格納部をランドリー施設Ｆ内に設置し、無料モード時に格納部に格納されたカードを取り出し可能とすることが考えられる。
【００５４】
また、ガスタンクＧは、ガス残量が所定量以下となると圧力が低下するため、ガスタンクＧ内にガスが残存している状態で使用済みとして交換されることとなる。よって、このような使用済みのガスタンクＧに残存したガスを集約し、非常時に用いるようにしても良い。
【００５５】
＜第２の実施形態＞
本実施形態に係るランドリーシステムは、精算機の機能構成が第１の実施形態とは異なる。図９は、精算機の機能構成を示すブロック図である。図１０は、モード切替処理の動作を示すフローチャートである。
【００５６】
図９に示すように、本実施形態に係る精算機１１ａは、無料モード処理部８３に代えて、低料金モード処理部８４を機能として備える点において第１の実施形態とは異なる。また、モード切替部８１は、常態時に対応した動作を行う有料モードと非常態時に対応した動作を行う低料金モードとを切り替える点において第１の実施形態とは異なる。
【００５７】
図１０に示すように、本実施形態に係るモード切替処理は、ステップＳ１０２、ステップＳ１０３、ステップＳ１０４の動作に代えて、ステップＳ１０２ａ、ステップＳ１０３ａ、ステップＳ１０４ａの動作を行う点において、第１の実施形態とは異なる。
【００５８】
ステップＳ１０２ａにおいて、モード切替部８１は、精算機１１ａを有料モードにより動作させる有料モードボタンと、精算機１１ａを低料金モードにより動作させる低料金モードボタンとを含むモード選択画面を表示する。
【００５９】
また、ステップＳ１０３ａにおいて、モード切替部８１は、低料金モードボタンが選択された否かを判定し、低料金モードボタンが選択された場合には、低料金モード処理部８４によって低料金モード処理が実行される（Ｓ１０４ａ）。
【００６０】
低料金モード処理は、有料モード処理と略同様の動作を実行するが、ステップＳ２０４における利用料金の表示において、有料モード処理よりも低い料金を精算料金として表示する点が第１の実施形態とは異なる。
【００６１】
＜第３の実施形態＞
本実施形態に係るランドリーシステムは、精算機の機能構成が第１の実施形態とは異なる。図１１は、精算機の機能構成を示すブロック図である。図１２は、モード切替処理の動作を示すフローチャートである。
【００６２】
図１１に示すように、本実施形態に係る精算機１１ｂは、モード切替部８１に代えて、モード切替部８１ａを備える点、また、このモード切替部８１ａによるモード切替処理の動作において第１の実施形態とは異なる。
【００６３】
図１２に示すように、まず、モード切替部８１ａは、ランドリー施設Ｆが存在する地域が非常態にあることを示す非常態情報を取得したか否かを判定する（Ｓ１０１ａ）。非常態情報としては、例えば、気象庁により発信される緊急地震速報や電力インフラＥへの電力の供給が停止されたことを示す情報などが挙げられる。
【００６４】
非常態情報を取得した場合（Ｓ１０１ａ，ＹＥＳ）、無料モード処理が実行され（Ｓ１０４）、一方、非常態情報を取得しない場合（Ｓ１０１ａ，ＮＯ）、有料モード処理が実行される（Ｓ１０５）。
【００６５】
このように、非常態情報に基づいて有料モードと無料モードとを切り替えることによって、管理者が操作することなく、ランドリー施設Ｆを災害などの非常態に対応させることができる。
【００６６】
本発明の実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６７】
１  ランドリーシステム
１１  精算機
８１  モード切替部
８２  有料モード処理部（常態モード処理部）
８３  無料モード処理部（非常態モード処理部）
８４  低料金モード処理部（非常態モード処理部）
【図１】
0006949161.tif 000002
【図２】
0006949161.tif 000003
【図３】
0006949161.tif 000004
【図４】
0006949161.tif 000005
【図５】
0006949161.tif 000006
【図６】
0006949161.tif 000007
【図７】
0006949161.tif 000008
【図８】
0006949161.tif 000009
【図９】
0006949161.tif 000010
【図１０】
0006949161.tif 000011
【図１１】
0006949161.tif 000012
【図１２】
0006949161.tif 000013